(57)【要約】【課題】コンパクトなサイズのカバーシート折込装置を提供する。【解決手段】カバーシートＣＶ４１を冊子ＢＫ４１に折り込むカバーシート折込装置１００において、冊子ＢＫ４１の天側又は地側の一端がカバーシートＣＶ４１からはみ出した位置で、カバーシートＣＶ４１と冊子ＢＫ４１とを密着させるカバーシート密着部１と、カバーシートＣＶ４１からはみ出した部分の冊子ＢＫ４１と接触して冊子ＢＫ４１の表紙を開く表紙開き部２と、冊子ＢＫ４１の表紙を開いた状態で冊子ＢＫ４１にカバーシートＣＶ４１を折り込む折込部３と、カバーシート密着部によりカバーシートＣＶ４１を冊子ＢＫ４１に密着させた状態で、表紙開き部により冊子ＢＫ４１の表紙を開き、折込部により冊子ＢＫ４１にカバーシートＣＶ４１を折り込むように制御する制御部７とを備える。【選択図】図１
2016117226.tif 000002
【特許請求の範囲】
【請求項１】
カバーシートを冊子に折り込むカバーシート折込装置において、
前記冊子の天側又は地側の一端が前記カバーシートからはみ出した位置で、前記カバーシートと前記冊子とを密着させるカバーシート密着部と、
前記カバーシートからはみ出した部分の前記冊子と接触して前記冊子の表紙を開く表紙開き部と、
前記冊子の表紙を開いた状態で前記冊子に前記カバーシートを折り込む折込部と、
前記カバーシート密着部により前記カバーシートを前記冊子に密着させた状態で、前記表紙開き部により前記冊子の表紙を開き、前記折込部により前記冊子にカバーシートを折り込むように制御する制御部と、
を備えることを特徴とするカバーシート折込装置。
【請求項２】
前記冊子を前記カバーシート密着部に挿入する冊子挿入部を備え、
前記制御部は、前記冊子挿入部により前記冊子の天側又は地側の一端が前記カバーシートからはみ出した位置で、前記カバーシート密着部に挿入させることを特徴とする請求項１に記載のカバーシート折込装置。
【請求項３】
前記カバーシートにおける前記冊子の天地方向の位置を整合する位置整合部を備え、
前記制御部は、前記位置整合部により前記カバーシートを折り込んだ前記冊子の天地方向の位置を整合させることを特徴とする請求項１又は２に記載のカバーシート折込装置。
【請求項４】
前記カバーシートが折り込まれた冊子を排出する冊子排出部を備え、
前記制御部は、前記冊子排出部により前記カバーシートが折り込まれた前記冊子の排出と同時に、前記カバーシートにおける前記冊子の天地方向の位置を整合させることを特徴とする請求項１又は２に記載のカバーシート折込装置。
【請求項５】
前記カバーシートを密着させる際の前記冊子の位置を調整する調整部を備え、
前記制御部は、前記カバーシートにその天地方向の端部が折り畳まれた折り返し部が設けられている場合、前記冊子の天地方向の両端のうち前記カバーシートからはみ出していない方の端部が前記カバーシートの折り返し部と重なる位置に前記冊子が挿入されるように、前記調整部により前記冊子の位置を調整することを特徴とする請求項１から４のいずれか一項に記載のカバーシート折込装置。
【請求項６】
冊子を製本する製本装置と
前記製本装置に製本された冊子にカバーシートを折り込む請求項１から５のいずれか一項に記載のカバーシート折込装置と、
を備えることを特徴とする製本システム。
【発明の詳細な説明】
【技術分野】
【０００１】
本発明は、カバーシート折込装置及び製本システムに関する。
【背景技術】
【０００２】
従来、書店の店頭において冊子にカバー、帯、ブックカバー等のカバーシートを折り込む作業は、必要に応じて店員により行われている。
【０００３】
冊子にカバーシートを自動的に折り込む装置としては、例えば、集積機構から製本部へ送り込まれた中紙が狭圧ブロックで挟持拘束されて隙間を介して移動され、表紙供給機構から供給されて縦搬送路を送られる表紙に揃えられて製本テープで接着され、表紙を被覆するカバーがカバー供給機構から縦搬送路へ供給され、表紙の他端辺をくるむようにその両端が折り畳まれることにより、カバー付き冊子を製造する製本装置が開示されている（特許文献１参照）。
【先行技術文献】
【特許文献】
【０００４】
【特許文献１】特開２００３−０２５７５５号公報
【発明の概要】
【発明が解決しようとする課題】
【０００５】
しかしながら、特許文献１に記載された製本装置では、表紙が開かれた冊子とカバーを密着させた状態でカバーを折り込むが、冊子とカバーとを密着させた後に表紙を開こうとするとカバーが邪魔になり表紙を開くことが難しい。一方、先に冊子の表紙を開いた状態を維持しながら、カバーを冊子に密着させると、表紙開き手段の他に、別途、冊子の表紙を開いた状態を維持するための手段が必要になる。
【０００６】
カバーシート折込装置を書店の店頭に設置することを考えた場合、カバーシート折込装置のサイズとしては、書店の会計カウンタの脇に設置可能な卓上サイズ等のコンパクトなサイズが望ましく、特許文献１に記載された製本装置では、卓上サイズ等のコンパクトなサイズにすることが難しいといった問題点があった。
【０００７】
本発明の課題は、よりコンパクトなサイズのカバーシート折込装置を提供することにある。
【課題を解決するための手段】
【０００８】
上記課題を達成するため、請求項１に記載の発明のカバーシート折込装置は、
カバーシートを冊子に折り込むカバーシート折込装置において、
前記冊子の天側又は地側の一端が前記カバーシートからはみ出した位置で、前記カバーシートと前記冊子とを密着させるカバーシート密着部と、
前記カバーシートからはみ出した部分の前記冊子と接触して前記冊子の表紙を開く表紙開き部と、
前記冊子の表紙を開いた状態で前記冊子に前記カバーシートを折り込む折込部と、
前記カバーシート密着部により前記カバーシートを前記冊子に密着させた状態で、前記表紙開き部により前記冊子の表紙を開き、前記折込部により前記冊子にカバーシートを折り込むように制御する制御部と、
を備えることを特徴としている。
【０００９】
請求項２に記載の発明は、請求項１に記載のカバーシート折込装置において、
前記冊子を前記カバーシート密着部に挿入する冊子挿入部を備え、
前記制御部は、前記冊子挿入部により前記冊子の天側又は地側の一端が前記カバーシートからはみ出した位置で、前記カバーシート密着部に挿入させることを特徴としている。
【００１０】
請求項３に記載の発明は、請求項１又は２に記載のカバーシート折込装置において、
前記カバーシートにおける前記冊子の天地方向の位置を整合する位置整合部を備え、
前記制御部は、前記位置整合部により前記カバーシートを折り込んだ前記冊子の天地方向の位置を整合させることを特徴としている。
【００１１】
請求項４に記載の発明は、請求項１又は２に記載のカバーシート折込装置において、
前記カバーシートが折り込まれた冊子を排出する冊子排出部を備え、
前記制御部は、前記冊子排出部により前記カバーシートが折り込まれた前記冊子の排出と同時に、前記カバーシートにおける前記冊子の天地方向の位置を整合させることを特徴としている。
【００１２】
請求項５に記載の発明は、請求項１から４のいずれか一項に記載のカバーシート折込装置において、
前記カバーシートを密着させる際の前記冊子の位置を調整する調整部を備え、
前記制御部は、前記カバーシートにその天地方向の端部が折り畳まれた折り返し部が設けられている場合、前記冊子の天地方向の両端のうち前記カバーシートからはみ出していない方の端部が前記カバーシートの折り返し部と重なる位置に前記冊子が挿入されるように、前記調整部により前記冊子の位置を調整することを特徴としている。
【００１３】
請求項６に記載の発明は、
冊子を製本する製本装置と
前記製本装置に製本された冊子にカバーシートを折り込む請求項１から５のいずれか一項に記載のカバーシート折込装置と、
を備えることを特徴としている。
【発明の効果】
【００１４】
本発明によれば、よりコンパクトなサイズのカバーシート折込装置を提供することができる。
【図面の簡単な説明】
【００１５】
【図１】本発明を適用した実施形態のカバーシート折込装置の概略構成を示す斜視図である。
【図２】図１のカバーシート折込装置の機能構成を示すブロック図である。
【図３】制御部の制御動作を説明するフローチャートである。
【図４】冊子を挿入した状態の地側から見た一例を示す説明図である。
【図５】冊子を挿入した状態を小口側から見た一例を示す説明図である。
【図６】表紙開き部により冊子の表紙を開いた状態の一例を示す説明図である。
【図７】冊子にカバーシートを折り込む動作の一例を示す説明図である。
【図８】位置調整部により冊子の天地とカバーシートの天地を揃えた一例を示す説明図である。
【図９】カバーシートの天地が折られている場合に挿入位置調整部により冊子の挿入位置を調整した一例を示す説明図である。
【図１０】製本時におけるカバー等を一括して折り込むシステムの一例を示すブロック図である。
【発明を実施するための形態】
【００１６】
（実施形態）
［１．構成の説明］
以下に、本発明について、図面を用いて具体的な態様を説明する。但し、発明の範囲は、図示例に限定されない。なお、冊子の各部名称に関しては、特に別途定義していない場合は、当業者が通常使用している名称（例えば、表紙、天、地、背、小口、カバー、見開き等）を使用して説明する。
【００１７】
図１は、本発明を適用した実施形態のカバーシート折込装置１００の概略構成を示す斜視図である。また、図２は、カバーシート折込装置１００の機能構成を示すブロック図である。
【００１８】
図１及び図２に示すように、本実施形態のカバーシート折込装置１００は、冊子ＢＫ１１をカバーシート折込装置１００の挿入口ＩＮ１１に挿入することにより、冊子ＢＫ１１にカバーシートＣＶ１１を自動的に折り込む。
【００１９】
具体的には、本実施形態のカバーシート折込装置１００は、カバーシート密着部１と、表紙開き部２と、折込部３と、挿入部４と、位置整合部５と、調整部６と、制御部７等を備えて構成されている。
【００２０】
カバーシート密着部１は、カバーシート搬送部（不図示）により搬送されてきたカバーシートＣＶ１１を所定の位置に固定する固定部と、カバーシート折込装置１００に挿入された冊子ＢＫ１１を、冊子ＢＫ１１の天側又は地側の一端がカバーシートＣＶ１１からはみ出した位置で背側から挟持する挟持部を有し、カバーシート折込装置１００に挿入された冊子ＢＫ１１の背側から表紙の一部にかけてカバーシートＣＶ１１と一緒に挟持部で挟持することにより、カバーシートＣＶ１１を密着させると共に支持する。
【００２１】
表紙開き部２は、カバーシート密着部１の長手方向の一端に配置され、カバーシート密着部１からはみ出した冊子ＢＫ１１の天側又は地側の表紙の近傍にある空気を吸引する手段を有し、カバーシート密着部１からはみ出した冊子ＢＫ１１の表紙の近傍の空気を吸引する手段で吸引して、表紙を引き寄せることにより、冊子ＢＫ１１の表紙を開く。
【００２２】
折込部３は、カバーシート密着部１で挟持された冊子ＢＫ１１の表紙の両面の側にそれぞれ配置され、一方のローラが固定され他方のローラが当該固定されたローラを中心に回動可能な一対のローラを有し、カバーシート密着部１によりカバーシートＣＶ１１と冊子ＢＫ１１とを密着され、表紙開き部２により冊子ＢＫ１１の表紙を開かれた状態で、回動可能な一方のローラを回転させながら冊子ＢＫ１１の表紙ＢＣ１１に沿ってカバーシートＣＶ１１を巻き込むように回動させることにより、表紙が開いた冊子ＢＫ１１にカバーシートＣＶ１１を折り込む。
【００２３】
挿入部４は、カバーシート折込装置１００の挿入口に挿入された冊子ＢＫ１１を表紙側から挟持してカバーシート密着部１まで移動させる複数のローラを有し、挿入された冊子ＢＫ１１を、当該ローラで挟持して、冊子ＢＫ１１の天又は地の一端が表紙開き部２に位置し、冊子ＢＫ１１の他の部分がカバーシート密着部１に位置するように、冊子ＢＫ１１を自動的に位置を調整しながら移動させて、カバーシート密着部１に挟持させる。
【００２４】
位置整合部５は、カバーシート密着部１で支持されている冊子ＢＫ１１の天又は地を押して移動させるアクチュエータ等の駆動部を有し、カバーシートＣＶ１１を固定した状態で、駆動部で冊子ＢＫ１１の天又は地を押して移動させることにより、カバーシートＣＶ１１上で滑らせて移動させ、冊子ＢＫ１１とカバーシートＣＶ１１の双方の天地を揃える。
【００２５】
また、冊子ＢＫ１１とカバーシートＣＶ１１の双方の天地を揃った状態で、駆動部でさらに、冊子ＢＫ１１の天又は地と共にカバーシートＣＶ１１を押して移動させ冊子ＢＫ４１をカバーシート折込装置１００から排出させることにより、位置整合部５は、冊子排出部として機能させることもできる。
【００２６】
調整部６は、冊子ＢＫ１１を表紙側から挟持してカバーシート密着部１まで移動させる複数のローラを有し、カバーシートにその天地方向の端部が折り畳まれた折り返し部が設けられている場合、カバーシート折込装置１００の挿入口に挿入された冊子ＢＫ１１を、当該ローラで挟持して、表紙開き部２に位置する冊子ＢＫ１１の天又は地の長さが、カバーシートＣＶ１１の折り代（折り返し部）の長さよりも小さくなるように、冊子ＢＫ１１を自動的に位置を調整しながら移動させて、カバーシート密着部１に挟持させる。
【００２７】
制御部７は、例えば、ＣＰＵ（Central Processing Unit）７１、ＲＯＭ（Read Only Memory）７２、ＲＡＭ（Random Access Memory）７３等を備えて構成されている。
【００２８】
ＣＰＵ７１は、ＲＯＭ７２から処理内容に応じたプログラムを読み出してＲＡＭ７３に展開し、展開されたプログラムと協働してカバーシート折込装置１００の各ブロック（カバーシート密着部１、表紙開き部２、折込部３、挿入部４、位置整合部５、調整部６等）の動作を集中制御する。このとき、例えば、不揮発性の半導体メモリ（フラッシュメモリ）やハードディスクドライブで構成された記憶部（不図示）に格納されている各種データが参照される。
【００２９】
ここで、制御部７は、例えば、ＬＡＮカード等で構成された通信部（図示略）を介して、ＬＡＮ（Local Area Network）、ＷＡＮ（Wide Area Network）等の通信ネットワークに接続された外部の装置（例えばパーソナルコンピュータ）との間で各種データの送受信を行っても良い。
【００３０】
［２．動作の説明］
ここで、カバーシート折込装置１００の動作を図３に示すフローチャートを用いて説明する。また、併せて、図４〜図８に示す説明図を用いて冊子にカバーシートが折り込まれる状況を説明する。
【００３１】
図３のフローチャートに示すように、制御部７は、冊子ＢＫ４１がカバーシート折込装置１００に挿入されたか否かを判断する（ステップＳ３１）。そして、制御部７は、冊子ＢＫ４１がカバーシート折込装置１００に挿入されていないと判断した場合には（ステップＳ３１：Ｎｏ）、ステップＳ３１に戻る。
【００３２】
制御部７は、冊子ＢＫ４１がカバーシート折込装置１００に挿入されたと判断した場合には（ステップＳ３１：Ｙｅｓ）、カバーシート密着部１で冊子ＢＫ４１にカバーシートＣＶ４１を密着させると共に、表紙開き部２により冊子ＢＫ４１の表紙ＢＣ４１を開く（ステップＳ３２）。
【００３３】
図４は、冊子ＢＫ４１がカバーシート折込装置１００に挿入された状態を示しており、冊子ＢＫ４１の背から表紙ＢＣ４１の一部にかけてカバーシートＣＶ４１を密着させる。また、図５に示すように、冊子ＢＫ４１の地（又は天）の一端は、表紙開き部２に位置し、冊子ＢＫ４１の他の部分がカバーシート密着部１に位置し、カバーシート密着部１によりカバーシートＣＶ４１に密着されている。
【００３４】
なお、冊子ＢＫ４１の天と地の間の長さＬ５１は、カバーシートＣＶ４１の短手方向の長さＬ５２と等しい。
【００３５】
このような位置関係を満足するために、制御部７が、挿入部４を制御して冊子ＢＫ４１をカバーシート折込装置１００に挿入してもよい。勿論、挿入部４を使用することなく、このような位置関係を満足するように作業者がカバーシート折込装置１００に挿入してもよい。
【００３６】
このような冊子ＢＫ４１の密着状態において、制御部７が、表紙開き部２を動作させることにより、図６に示すように、冊子ＢＫ４１の表紙ＢＣ４１を開く。例えば、表紙開き部２は、カバーシート密着部１からはみ出した冊子ＢＫ１１の天側又は地側の一端の表紙ＢＫ４１を吸引して引き寄せることにより、冊子ＢＫ１１の表紙を開く。
【００３７】
ここで、図３に戻って、制御部７は、折込部３を制御して冊子ＢＫ４１の表紙ＢＣ４１を開いた状態で冊子ＢＫ４１にカバーシートＣＶ４１を折り込む（ステップＳ３３）。例えば、図７に示すように、折込部３を構成する一対のローラのうち回動可能な一方のローラを回転させながら冊子ＢＫ４１の表紙ＢＣ４１に沿ってカバーシートＣＶ４１を巻き込むように破線矢印のように回動させることにより、ＢＣ４１表紙が開いた冊子ＢＫ４１にカバーシートＣＶ４１を折り込む。
【００３８】
この時、カバーシートＣＶ４１を巻き込んで折り込みやすいようにガイド板（不図示）により表紙ＢＣ４１の小口近傍を天から地にかけて支持してもよい。
【００３９】
すなわち、表紙ＢＣ４１の材質によっては、折込部３を構成するローラの回動動作によって、表紙ＢＣ４１の小口近傍が湾曲したり変形してカバーシートＣＶ４１をうまく折り込めないことが想定されるので、このようなガイド板を使用することにより表紙ＢＣ４１の小口近傍が湾曲等を防止できるので、冊子ＢＫ４１に確実にカバーシートＣＶ４１を折り込むことができる。
【００４０】
最後に、制御部７は、位置整合部５を制御して冊子ＢＫ４１の天地と、カバーシートＣＶ４１の天地を揃える（ステップＳ３４）。例えば、図８に示すように、制御部７は、位置整合部５により、カバーシートＣＶ４１を固定した状態で、冊子ＢＫ４１の天又は地を押してカバーシートＣＶ４１上で矢印の方向に滑らせて移動させ、冊子ＢＫ１１とカバーシートＣＶ１１の双方の天地を揃える。
【００４１】
或いは、制御部７が、位置調整部５を制御して、冊子ＢＫ１１とカバーシートＣＶ１１の双方の天地を揃った状態で、さらに、冊子ＢＫ１１の天又は地と共にカバーシートＣＶ１１を押して移動させることにより、カバーシートＣＶ１１の折り込まれた冊子ＢＫ４１をカバーシート折込装置１００から排出させる。
【００４２】
以上のように、本実施形態のカバーシート折込装置１００によれば、冊子の天側又は地側の一端がカバーシートＣＶ４１からはみ出した位置で、カバーシートＣＶ４１と冊子ＢＫ４１とを密着させるカバーシート密着部１と、カバーシートＣＶ４１からはみ出した部分の冊子ＢＫ４１と接触して冊子ＢＫ４１の表紙ＢＣ４１を開く表紙開き部２と、冊子ＢＫ４１の表紙ＢＣ４１を開いた状態で冊子ＢＫ４１にカバーシートＣＶ４１を折り込む折込部３と、カバーシート密着部１によりカバーシートＣＶ４１を冊子ＢＫ４１に密着させた状態で、表紙開き部２により冊子ＢＫ４１の表紙ＢＣ４１を開き、折込部３により冊子ＢＫ４１にカバーシートＣＶ４１を折り込むように制御する制御部７とを備えることにより、表紙開き手段２の他に、別途、冊子の表紙を開いた状態を維持するための状態維持手段が不要になるので、コンパクトなサイズのカバーシート折込装置１００を提供することができる。
【００４３】
（変形例１）
［３．天地が折られたカバーシート］
【００４４】
実施形態の説明に際しては、カバーシートＣＶ４１の短手方向の長さＬ５２と、冊子ＢＫ４１の天と地の間の長さＬ５１が等しいものであったが、カバーシートＣＶ４１の天地を折ることにより、冊子ＢＫ４１の天と地の間の長さＬ５１に等しくした場合、図９に示すように、カバーシートＣＶ９１には折り返し部ＡＣ９１（折り代）が存在することになる。
【００４５】
冊子ＢＫ４１の天地と、このような折り返し部ＡＣ９１（折り代）が存在するカバーシートＣＶ９１の天地を揃えようとした場合（ステップＳ３４に相当）、冊子ＢＫ４１とカバーシートＣＶ９１の位置関係によっては、冊子ＢＫ４１をカバーシートＣＶ９１上で滑らせる際に、折り返し部ＡＣ９１（折り代）を捲り上げてしまう恐れがある。
【００４６】
このため、制御部７は、調整部６を制御して、表紙開き部２に位置する冊子ＢＫ４１の天又は地の長さＬ９１が、カバーシートＣＶ９１折り代の長さＬ９２よりも小さくなるように冊子ＢＫ４１の挿入位置を矢印ＡＤ９１の方向に適宜調整する。
【００４７】
図９に示すように、「Ｌ９２＞Ｌ９１」になる位置関係を満足することにより、冊子ＢＫ４１をカバーシートＣＶ９１上で滑らせて冊子ＢＫ４１の天地と、カバーシートＣＶ９１の天地を揃える際に、折り返し部ＡＣ９１（折り代）を捲り上げてしまうことを防止できる。
【００４８】
（第２実施形態）
［４．製本システム］
実施形態の説明に際しては、カバーシート折込装置１００単体で使用しているが、カバーシート折込装置１００を既存の製本装置の後処理装置として用いることにより製本システムを構成してもよい。
【００４９】
例えば、図１０に示すように、製本装置２００は、既存の冊子を製本する装置であり、このような製本装置２００の後段に、カバーの折り込み用のカバーシート折込装置１００と、帯の折り込み用のカバーシート折込装置１００と、ブックカバーの折り込み用のカバーシート折込装置１００を３台連結して製本システムを構成してもよい。
【００５０】
図１０に示す製本システムによれば、カバー、帯及びブックカバーがそれぞれ折り込まれた冊子を一括して製造することができる。
【００５１】
なお、実施形態の説明に際しては、カバーシート密着部１がカバーシート折込装置１００に挿入された冊子ＢＫ４１を挟持する幅は通常固定である。このため、厚さ（背部分の幅）が異なる冊子ＢＫ４１に対して連続してカバーシートＣＶ４１を折り込む場合には、その都度、挟持する幅を調整しなければならない。
【００５２】
このため、カバーシート密着部１が冊子ＢＫ４１を挟持する幅を調整可能にしてもよい。例えば、カバーシート密着部１の一方の挟持面を可動、或いは、双方の挟持面を可動にすることにより、厚さ（背部分の幅）が異なる冊子ＢＫ４１に対して対応可能になる。
【００５３】
また、実施形態の説明に際しては、カバーシート搬送部（不図示）により搬送されたカバーシートＣＶ１１が、カバーシート密着部１の固定部により所定の位置に固定されているが、勿論、作業者が、カバーシート密着部１の固定部の所定の位置にカバーシートＣＶ１１を固定してもよい。
【００５４】
また、実施形態の説明に際しては、位置整合部５により、カバーシートＣＶ４１を固定した状態で、駆動装置で冊子ＢＫ４１の天又は地を押して移動させることにより、カバーシートＣＶ４１上で滑らせて移動させ、冊子ＢＫ４１とカバーシートＣＶ４１の双方の天地を揃えているが、勿論、カバーシート折込装置１００から冊子ＢＫ４１を取り出した後に、作業者が天地を揃えてもよい。
【００５５】
また、実施形態の説明に際しては、カバーシート密着部１からはみ出した冊子ＢＫ４１の天側又は地側の一端に接触する位置の空気を吸引する手段を有する表紙開き部２を例示しているが、カバー付き冊子を扱う場合は、表紙開き部２は、カバー付き冊子を背側から挟持して圧着する一対の円筒形のローラであってもよい。例えば、一対のローラを一方向に回転させてカバー付き冊子に折り込まれたカバーを背側方向に搬送させる。この時、一対のローラの回転に伴って、カバー付き冊子に折り込まれたカバーが、表紙の表面で滑って、カバーのみが冊子の背側に搬送されて撓みが生じることにより、カバー付き冊子の表紙を開く。
【００５６】
より具体的には、制御部７が、表紙開き部２を構成する一対のローラを回転させると、ローラの回転に伴って、冊子に折り込まれたカバーが、表紙の表面で滑って、カバーのみが冊子の背側に搬送されて撓み部が生じる。
【００５７】
なお、カバーが、表紙の表面で確実に滑るために、表紙開き部２を構成するローラとカバーの摩擦係数μ１が、表紙とカバーの摩擦係数μ２よりも大きいことが好ましい（μ１＞μ２）。
【００５８】
また、表紙開き部２を構成するローラが圧着する部分からカバーの小口部分における折り目までの長さＬ１は、撓み部が生じ、言い換えれば、カバーが背側に引っ張られて引き寄せられているため、表紙開き部２を構成するローラが圧着する部分から表紙の小口部分までの長さＬ２よりも短くなる（Ｌ１＜Ｌ２）。
【００５９】
このため、表紙は、当該長さ違いの均衡を図るため冊子の外側に向かって湾曲しなければならず、結果として、冊子の表紙が開くことになる。
【００６０】
なお、表紙が、冊子の外側に向かって湾曲するために、表紙開き部２を構成するローラとカバーの摩擦係数μ１とローラの圧着力Ｐとの積が、表紙の湾曲時の抵抗力ｋ２／Ｌ２（但し、硬度ｋ２は表紙ＢＣ４１の硬度）よりも大きいことが好ましい（μ１・Ｐ＞ｋ２／Ｌ２）。
【００６１】
さらに、表紙の撓み部が形成される位置が、背側ではなく、小口側になるようにするため、表紙の小口からローラの圧着する部分までの長さＬ２は、表紙の背から小口までの長さＬ３の半分よりも大きいことが好ましい（Ｌ２＞Ｌ３／２）。
【符号の説明】
【００６２】
１００    カバーシート折込装置
１        カバーシート密着部
２        表紙開き部
３        折込部
４        挿入部
５        位置整合部
６        調整部
７        制御部
２００    製本装置
ＢＫ１１、ＢＫ４１  冊子
ＢＣ４１  表紙
ＣＶ１１、ＣＶ４１、ＣＶ９１  カバーシート
【図１】
2016117226.tif 000003
【図２】
2016117226.tif 000004
【図３】
2016117226.tif 000005
【図４】
2016117226.tif 000006
【図５】
2016117226.tif 000007
【図６】
2016117226.tif 000008
【図７】
2016117226.tif 000009
【図８】
2016117226.tif 000010
【図９】
2016117226.tif 000011
【図１０】
2016117226.tif 000012